【事件の表示】
　特願２０１２−２４７１６９「ルアー」拒絶査定不服審判事件〔平成２６年　５月２２日出願公開、特開２０１４−　９３９７１〕について、次のとおり審決する。
【結　論】
　本件審判の請求は、成り立たない。
【理　由】
第１　手続の経緯 
　平成２４年１１月 ９日　出願
　平成２８年 ６月２４日　拒絶理由通知（同年６月２８日発送） 
　平成２８年　８月 ４日　意見書・手続補正書 
　平成２９年 １月１８日　拒絶理由通知（最後、同年１月２４日発送） 
　平成２９年　３月２３日　意見書・手続補正書
　平成２９年　８月　９日　補正の却下の決定（同年８月２２日発送）
　平成２９年　８月　９日　拒絶査定（同年８月２２日発送）
　平成２９年１１月２１日　審判請求書・手続補正書
　 
　 
第２　補正の却下の決定 
［補正の却下の決定の結論］ 
　平成２９年１１月２１日付けの手続補正を却下する。
　 
１　補正の内容・目的 
　平成２９年１１月２１日付けの手続補正（以下「本件補正」という。）は、平成２８年８月４日付けの手続補正により補正された特許請求の範囲の請求項１を次のように補正することを含むものである。 
　（補正前） 
「多数の気泡を含んだ発泡体としてのボディと、このボディの密度よりも大きな密度を有する重錘とを備えており、
　このボディは、上記重錘を収容する重錘収容空間とこの重錘収容空間以外の空間とを、その内部に備えた中空のボディであり、
　上記ボディが樹脂組成物から形成されており、
　上記樹脂組成物の基材がＡＢＳ樹脂であるルアー。」
（補正後）
　多数の気泡を含んだ発泡体としてのボディと、このボディの密度よりも大きな密度を有する重錘とを備えており、
　このボディは、上記重錘を収容する重錘収容空間とこの重錘収容空間以外の空間とを、その内部に備えた中空のボディであり、
　上記ボディが樹脂組成物から形成されており、
　上記樹脂組成物の基材がＡＢＳ樹脂であ
り、
　
上記重錘の密度ＤＷの、上記ボディの密度ＤＢに対する比（ＤＷ／ＤＢ）が、５以上であり、
　
上記重錘の質量ＷＷの、上記ルアーの質量ＷＬに対する比（ＷＷ／ＷＬ）が、０．２０以上０．５５以下であ
　
　上記補正事項は、請求項１に係る発明を特定するために必要な事項である重錘とボディーについて、それらの密度の関係を「上記重錘の密度ＤＷの、上記ボディの密度ＤＢに対する比（ＤＷ／ＤＢ）が、５以上であり、」と限定し、同じく、重錘とルアーについて、それらの質量の関係を、「上記重錘の質量ＷＷの、上記ルアーの質量ＷＬに対する比（ＷＷ／ＷＬ）が、０．２０以上０．５５以下である」と限定するものであって、かつ補正前の請求項１に記載された発明と補正後の請求項１に記載された発明の産業上の利用分野及び解決しようとする課題が同一であるので、本件補正は、特許法第１７条の２第５項第２号の特許請求の範囲の減縮を目的とする補正事項を含むものである。
　また、上記補正事項は、出願当初の特許請求の範囲等に記載されていたものであるから、新規事項を追加するものではなく、同法第１７条の２第３項の規定を満たしている。
　そこで、本件補正後の上記請求項１に係る発明（以下「補正発明」という。）が特許出願の際独立して特許を受けることができるものであるか（特許法第１７条の２第６項において準用する同法第１２６条第７項の規定に適合するか）について以下に検討する。
　
２　独立特許要件違反（特許法第２９条第２項違反）
（１）刊行物
　ア　原査定の拒絶の理由に引用され、本願の出願前に頒布された刊行物である、国際公開第２０１１／０９２８３２号（以下「引用例１」という。）には、次の記載がある（下線は審決で付した。以下同様）。
　
　（ア）「技術分野
［０００１］　本発明は、球状重りが移動することによって重心が変化し得るルアーに関する。」
　（イ）「発明が解決使用とする課題
［０００７］　本発明の目的は、球状重りが移動することによって重心が変化し得るルアーにおいて、前方部に保持された球状重りが横ぶれ及び／又は縦ぶれすることを防止でき、且つ、製造コストを抑えることができるルアーを提供することである。
課題を解決するための手段
［０００８］　本発明のルアーは、ボディと、前記ボディの前後方向に伸び且つボディ内に設けられた重り移動空間と、前記重り移動空間内に収容され且つ重り移動空間に沿ってボディの前後方向に移動可能な球状重りと、前記重り移動空間の前方側に設けられ且つ磁力を通じて前記球状重りを保持する保持部材と、を有し、前記重り移動空間の前方部と保持部材との間に、仕切壁が設けられており、前記仕切壁が、前記重り移動空間側から前記保持部材側に向かって次第に薄くなった傾斜面部を有する。
［０００９］　本発明の好ましいルアーは、前記仕切壁に円形の孔が形成され、前記円形の孔の周囲に前記傾斜面部が形成されている。」
　（ウ）「発明を実施するための形態
［００１２］［１つの実施形態に係るルアー］
　図１は、本発明のルアーの側面図であり、図２及び３は、図１のルアーを縦及び横方向でそれぞれ切断した断面図であり、図４は、図２の一部拡大図である。なお、図３及び４において、球状重りを二点鎖線で表している。
　図１〜図４において、
ルアー１は、ボディ２と、前記ボディ２の内部に設けられた重り移動空間３と、前記重り移動空間３内に収容された球状重り５と、前記重り移動空間３の前方側に設けられた保持部材６と、前記重り移動空間３の前方部と保持部材６との間に設けられた仕切壁７と、を有する。この仕切壁７は、テーパとされた傾斜面部８を有する。
　以下、各構成部材ごとに分けながら、本発明のルアー１の詳細を説明する。
［００１３］［ボディ及び重り移動空間について］ 
　図示したボディ２においては、その外形が小魚を真似た形状とされている。もっとも、ボディ２の外形は、小魚に似た形状に限られず、様々な形状に変更してもよい。
　さらに、ボディ２の外面に、無数の小さな窪み（ディンプル）が形成されていてもよい（図示せず）。ボディ２の表面が無数の小さな窪みを有することにより、ルアー１を投げたときに、ルアー１が空気抵抗を受け難くなる。従って、より遠くに投げ飛ばすことができるルアー１を提供できる。
［００１４］　ボディ２は、それ自体、水（淡水及び海水を含む）に浮く部材である。 
　
ボディ２の比重は、１未満であれば特に限定されないが、好ましくは０．９以下であり、より好ましくは０．８以下であり、特に好ましくは０．６以下である
　前記ボディ２は、非磁性材料で形成されている。
　ここで、本明細書において、非磁性材料とは、それ自身磁性を帯びておらず且つ磁石を近づけても磁性を帯びない材料（つまり、磁石に付かない材料）をいう。磁性材料とは、磁石を近づけると磁性を帯びる性質を有する材料（つまり、磁石に付く材料）をいう。磁石とは、外部から磁場や電流の供給を受けずに磁界を有するもの（磁性材料を引き付ける性質を有するもの）をいう。
［００１５］　
ボディ２の材質は、
ＡＢＳ樹脂などの硬質合成樹脂、ウレタンなどの軟質合成樹脂、発泡ウレタンなどの発泡合成樹脂
及び２以上の素材を組み合わせた複合材料などが挙げられる
　ボディ２は、中空状であってもよいし、中実状であってもよい。なお、中実状のボディ２とは、その内部に空洞部を有しないボディ２である。
　１つの実施形態の
ボディ２は
中空状
内部に空洞部２２を形成する
［００１６］　さらに、ボディ２の内部には、重り移動空間３が形成されている。
重り移動空間３は、ボディ２の前後方向に延びる細長い筒状の空間である。重り移動空間３内に収容された球状重り５が重り移動空間３の前後方向（伸びる方向）に円滑に移動できる
　ボディ２内に形成された複数の壁によって囲われた空間が、上記重り移動空間３である。この複数の壁は、非磁性材料から形成されている。
　縦断面形状が略正方形状である上記重り移動空間３は、ボディ２の前後方向に延びる上下一対の上壁３１及び下壁３２と、ボディ２の前後方向に延び且つ前記上壁３１及び下壁３２の間に介在された左右一対の左壁３３及び右壁３４と、によって囲われた空間である。この上壁３１、下壁３２、左壁３３及び右壁３４の各表面は、平坦面とされている。
　これら各壁３１，３２，３３，３４は、通常、ボディ２と一体的に成形される（つまり、各壁とボディ２は、同一の材料から形成される）。もっとも、ボディ２とは別個独立に各壁の部材を成形し、この各壁の部材をボディ２の内部に接合することによって、上記重り移動空間３を形成してもよい。
［００１７］　また、必要に応じて、前記左壁３３及び右壁３４の各表面に、及び／又は、前記上壁３１及び下壁３２の各表面に、上記従来のルアーと同様に、レールをそれぞれ突出してもよい（レールは図示せず）。このレールは、上記従来のルアーと同様に、重り移動空間３の中心軸と平行な方向に伸びる、長状の突起部から構成される。
［００１８］　前記ボディ２は、通常、複数の成形体からなる。例えば、ボディ２は、左右対称一対の半割成形体を接合することによって形成されている。このような一対の半割成形体を接合して得られるボディ２は、その内部に空洞部及び重り移動空間３を容易に形成できるので好ましい。
［００１９］　なお、ボディ２の前端部には、ライン（釣り糸）を締結するための環状のライン連結部４１が突出されている。
　ボディ２の後端部には、釣り針を係止するための環状の釣り針連結部４３が突出されている。ボディ２の腹部略中央部にも、同様の環状の釣り針連結部４４が突出されている。フック状の釣り針４２（例えばトレブルフックなど）が、前記釣り針連結部４３，４４にそれぞれ係止されている。
［００２０］　ボディ２の頭部下方部には、水流抵抗板４５が突出されている。この水流抵抗板４５は、ボディ２から一体的に突出されている。水流抵抗板４５は、ルアー１を揺れ動かす機能を有する。つまり、水中でルアー１を引っ張ったときに水流抵抗板４５に水流が当たることによって、ルアー１が揺れ動く。
［００２１］［仕切壁について］
　仕切壁７は、重り移動空間３の前方部に設けられている。仕切壁７は、重り移動空間３と保持部材６の間に介在している。この仕切壁７は、保持部材６の表面に仕切壁７の裏面が接するように配置されている。或いは、仕切壁７は、隙間を有した状態で保持部材６の表面に配置されていてもよい（図示せず）。
　この仕切壁７は、磁力の透過を阻害しない材料で形成されていることが好ましい。仕切壁７の形成材料は特に限定されないが、仕切壁７の形成材料は、非磁性材料又は磁性材料が好ましく、更に、非磁性材料がより好ましい。本実施形態では、仕切壁７は、ボディ２と一体的に成形されている（つまり、仕切壁７とボディ２は、同一の材料から形成される）。もっとも、ボディ２とは別個独立に仕切壁７を成形し、この仕切壁７を重り移動空間３の前方部に取り付けてもよい。
［００２２］　仕切壁７は、傾斜面部８を有する。この傾斜面部８は、仕切壁７の一部分であって、重り移動空間３側から保持部材６の中央部側に向かって厚みが次第に薄くなった部分である。
　本実施形態では、仕切壁７に円形の孔９が形成され、この円形の孔９の周囲に前記傾斜面部８が連続的に形成されている。つまり、仕切壁７は、仕切壁の中央部に向かうに従って厚みが次第に薄くなった正面視リング状の傾斜面部８と、傾斜面部８で囲われる内側に開口された円形の孔９と、を有する。この傾斜面部８は、図３に示すように、正面視略円形リング状とされていることが好ましい。なお、本明細書において、正面視の形状は、重り移動空間側から仕切壁の法線方向に傾斜面部を見たときの形状をいう。
　この仕切壁７の裏面側には、保持部材６が配置されている。従って、保持部材６の表面の中央部は、仕切壁７の孔９から露出している。
　重り移動空間３の前方部に移動した球状重り５は、前記仕切壁７の傾斜面部８の内側（傾斜面部８の内側とは、傾斜面部８で囲われた領域）に嵌り込み且つ傾斜面部８の表面に接すると共に、前記孔９から露出した保持部材８の表面に磁力を通じて付着する。
［００２３］［保持部材について］
　保持部材６は、重り移動空間３の前方側に設けられている。
　上記仕切壁７の裏面側には、保持部材６を収納するためのケース部２１が形成されている。このケース部２１に保持部材６が嵌め入れられている。
　前記保持部材６は、球状重り５を引き寄せ、重り移動空間３の前方部に球状重り５を保持する部材である。球状重り５が磁性材料から形成されている本実施形態においては、保持部材６は、磁石（永久磁石）から形成されている。磁石としては、例えば、フェライト磁石、アルニコ磁石、磁石鋼、樹脂磁石、ゴム磁石などが挙げられる。前記樹脂磁石は、金属などが混合された樹脂を成形することにより得られる磁石であり、前記ゴム磁石は、金属などが混合されたゴムを成形することにより得られる磁石である。前記保持部材６がゴム磁石からなる場合、保持部材６に球状重り５が当たったときの衝撃及び衝撃音を緩和できる。
　保持部材６の形状は、特に限定されず、例えば、その形状としては所定厚みの板状などが挙げられる。
［００２４］［球状重りについて］
　球状重り５は、重り移動空間３内に移動自在に収容されている。上述のように、重り移動空間３は、ボディ２の前後方向に延びる細長い筒状である。球状重り５は、この重り移動空間３の前後方向に移動可能である。
　球状重り５は、比重の大きい磁性材料を球状に形成することによって得られる。
球状重り５の比重は、ボディ２に比して十分に大き
、好ましくは６以上であり、より好ましくは７以上である
　磁性材料としては、特に限定されないが、代表的には、鉄、ニッケル、コバルトなどの鉄族金属、鉄族金属を含む合金、及び鉄族金属の酸化物などが挙げられる。このような磁性材料は、比重が６以上であり且つ強磁性を有するので、球状重り５の形成材料として好ましい。例えば、球状重り５は、鋼球からなる。
　ルアー１の浮力設定に応じて、重り移動空間３には、様々な大きさの球状重り５が収容される。球状重り５の直径（大きさ）は、特に限定さないが、通常、２ｍｍ〜１５ｍｍ程度であり、好ましくは、３ｍｍ〜１０ｍｍ程度である。
［００２５］　本実施形態のルアー１においては、重り移動空間３内に、２個の球状重り５が収容されている。もっとも、重り移動空間内に球状重りが１個だけ収容されていてもよいし、３個以上収容されていてもよい（図示せず）。複数（２個又は３個以上）の球状重りが収容される場合、これらの球状重りは通常全て同じものが用いられるが、これらの球状重りの一部又は全部が異なっていてもよい。
　重り移動空間３内に、複数の球状重り５が収納されている場合、各球状重り５は、重り移動空間３内において前後に並んで移動する。
　そして、前方の球状重り５は磁力を通じて保持部材６に付着し、一方、後方の球状重り５は磁力を通じて前方の球状重り５に付着する。すなわち、保持部材６に付着した前方の球状重り５を介して保持部材６の磁力が後方の球状重り５に作用することによって、複数の球状重り５が前後に並んで保持部材６に保持される。
［００２６］［ルアーの使用例について］
　上記ルアー１は、ライン連結部４１にラインを結んで使用される。ルアー１を投げたときには、慣性によって球状重り５が重り移動空間３の後方部に移動する。従って、ルアー１の重心が後方寄りとなり、ルアー１の後方部を先頭にしてルアー１を遠くに飛ばすことができる。一方、ルアー１が着水したときには、球状重り５がボディ２の前方部に移動し、保持部材６の磁力によって、球状重り５がボディ２の前方部に保持される（図２参照）。このように球状重り５が仕切壁７の表面に保持されることによって、ルアー１の前方部に重心が移る。この状態のルアー１を引っ張ると、後方部を左右に揺りながらルアー１が遊泳する。
［００２７］　本発明のルアー１は、保持部材６と重り移動空間３の前方部との間に、傾斜面部８を有する仕切壁７が設けられている。この傾斜面部８は、重り移動空間３側から保持部材６の中央部側に向かって次第に薄くなったテーパ状の面である。重り移動空間３の前方に移動した球状重り５は、前記傾斜面部８の内側に嵌り込み、球状重り５の表面が傾斜面部８の表面に接すると共に、磁力を通じて保持部材８に付着する。前記傾斜面部８の表面に接した状態の球状重り５は、この傾斜面部８に支持されることによって動き難くなる。このため、ルアー１の遊泳中に、前記保持部材８に付着した球状重り５が横ぶれ及び／又は縦ぶれすることを防止できる。
　また、本発明のルアー１においては、大径の球状重り及びこれよりも直径の小さい小径の球状重りを使用しても、これら何れの球状重りも傾斜面部８の内側に嵌り込む。従って、本発明によれば、１つの形状の重り移動空間３（１つの形状のボディ２）に、大径の球状重り又は小径の球状重りを適宜選択して収容しても、これら球状重りが横ぶれすることを防止できる。このように本発明によれば、球状重り５の大きさに対応した、異なる重り移動空間３をそれぞれ形成する必要がないので、ルアー１の製造コストを抑制できる。」
  
　（エ）［図２］は以下の通り
　 
　（オ）上記（ア）ないし（エ）からみて、引用例１には、次の発明（以下「引用発明」という。）が記載されていると認める。
「中空状のボディ２と、前記ボディ２の内部に形成された空洞部２２と、さらに、前記ボディ２の内部に形成された重り移動空間３と、前記重り移動空間３内に収容された球状重り５と、前記重り移動空間３の前方側に設けられた保持部材６と、前記重り移動空間３の前方部と保持部材６との間に設けられた仕切壁７と、を有するルアー１であって、
　前記仕切壁７は、テーパとされた傾斜面部８を有し、
　前記ボディ２の比重は、１未満であって、好ましくは０．９以下であり、より好ましくは０．８以下であり、特に好ましくは０．６以下であって、
　前記ボディ２の材質は、ＡＢＳ樹脂などの硬質合成樹脂、ウレタンなどの軟質合成樹脂、発泡ウレタンなどの発泡合成樹脂、及び２以上の素材を組み合わせた複合材料などが挙げられ、
　前記球状重り５の比重は、ボディ２に比して十分大きく、好ましくは６以上であり、より好ましくは７以上であって、
　前記重り移動空間３は、ボディ２の前後方向に延びる細長い筒状の空間であって、重り移動空間３内に収容された球状重り５が重り移動空間３の前後方向（伸びる方向）に円滑に移動できるものである、ルアー１。」
　
　イ　原査定の拒絶の理由に引用され、本願の出願前に頒布された刊行物である、特開２００２−１７６８８３号公報（以下「引用例２」という。）には、次の記載がある。
　
　（ア）　「【０００１】
【発明の属する技術分野】本発明は、水に沈むように形成したルア−の釣り針が釣り糸に絡み難く改良したルア−に関する。
　（イ）　「【０００３】
【発明が解決しようとする課題】解決しようとする問題点は、水に沈むタイプのルア−は、着水後ルア−が釣り糸を引きずりながら沈下するため、ルア−と釣り糸が接触し易く釣り糸が釣り針に絡み易いことである。
【０００４】本発明の目的は前記欠点に鑑み、水に沈むタイプで釣り針に釣り糸が絡み難くいルア−を提供することである。
【０００５】
【課題を解決するための手段】上記課題を解決するために、請求項１に係わる本発明は、水に沈むように形成したルア−の後部に、左右に突出する翼部を設けたことを要旨とするものである。請求項２に係わる本発明は、翼部の下方に釣り針を設けたことを要旨とするものである。」
　（ウ）　「【０００６】
【発明の実施の形態】請求項１の本発明により、翼部４ａで安定した姿勢を保ちながら沈下され、釣り糸５に掛け針７、９が絡むことが防止される。請求項２の本発明により、左右に突出した翼部４ａの下方に掛け針９が設けられているので、掛け針９が左右に搖れても釣り糸５に絡むことが防止される。
【０００７】
【実施例】以下、図示の一実施例によって本発明を説明すると、図１はルア−の外観斜視図、図２はルア−の側面図、図３はルア−のフレ−ムを破線で示した側面図、図４はフレ−ムの側面図、図５は図３のＦ５−Ｆ５断面線の断面正面図、図６は図３のＦ６−Ｆ６断面線の断面正面図、図７は図３のＦ７−Ｆ７断面線の断面正面図、図８はルア−がキャスト方向と反対方向を向いて着水した時の沈む状態を示す説明図、図９はルア−がキャスト方向を向いて着水した時の沈む状態を示す説明図である。
【０００８】
ルア−１は
金属のフレ−ム２の頭部側に鉛や真鍮等の重り３が固定されてそれらの外側に合成樹脂でボディ４が形成されてフレ−ム２と重り３が埋設され
【０００９】重り３の下側には切込みが形成されてフレ−ム２に嵌合固定されたり、溶着されたり、フレ−ム２を鋳ぐるんで止着されている。ボディ４はフレ−ム２と重り３を包み込むように形成されると共に、釣糸止着部２ｂ、２ｃの周囲の背部２ａの一部がボディ４から露出されている。釣針止着部２ｅ、２ｇの周囲の突出部２ｄ、２ｆはボディ４から露出されている。ボディ４の前部は魚の頭部に模した形状に形成され、ボディ４を形成する合成樹脂で一体にボディ４の後部の左右に翼部４ａが突出形成されている。
【００１０】翼部４ａはルア−１の中央から後端にかけてルア−１の下側に沿って設けられ、後方側の突出量が大きく、また、後方側が上方へ高くなるように傾斜して設けられており、これに応じて翼部４ａの上側に形成された抵抗面ａも後方側が広く、また、後方側が高くなるように形成されている。抵抗面ａはかるく湾曲形成されてもよい。翼部４ａの下側に前記フレ−ム２の突起部２ｆが下側後部に突出形成されて掛け針９が取り付けられている。ルア−１の前方の下側に重り３が設けられ、重り３位置のボディ４は膨出部４ｂとなっている。この
重り３はルア−１全体の２０％以上の重さを有し
【００１１】ルア−１が水へ投入されると図８のように、ルア−１は重心Ｇが前方側にあるので、着水後頭部を下側に沈み、翼部４ａの抵抗面ａが水の抵抗により押圧されるため、ルア−１の姿勢は翼部４ａの矢印方向Ａに応じて垂直方向からやや水平方向に近づき、沈下角度は緩やかになる。このように翼部４ａの矢印方向Ａに導かれて沈下して翼部４ａで安定した姿勢を保ちながら沈下され、釣り糸５と掛け針９の距離が遠くなるため絡むことがない。更に左右に突出した翼部４ａの下方に掛け針９が設けられているので、掛け針９が左右に搖れても翼部４ａに当接して大きく搖れることがないため、釣り糸５に絡むことがない。前側の掛け針７についても、重り３の下方でボディ４の膨出部４ｂの下側になるので、掛け針７が左右に搖れても釣り糸５に絡むことがない。
【００１２】翼部４ａは後方側の突出量が大きくなっているため、より重心Ｇから離れた後方側ほど水の抵抗が大きくなるようになっており、より沈下角度が緩やかになり、姿勢が安定する。ルア−１がキャスト方向と反対を向いても図９のように、ルア−１は着水後頭部を下側に翼部４ａの方向に沈下して沈下角度が緩やかになり、翼部４ａで安定した姿勢を保ちながら沈下され、釣り糸５に掛け針７、９が絡むことがない。
【００１３】前記のようにルア−が構成されていると、翼部４ａで安定した姿勢を保ちながら沈下され、釣り糸５に掛け針７、９が絡むことが防止される。左右に突出した翼部４ａの下方に掛け針９が設けられているので、掛け針９が左右に搖れても釣り糸５に絡むことが防止される。
【００１４】
【発明の効果】本発明は、以上説明したような形態で実施され、以下に記載されるような効果を奏する。
【００１５】請求項１により、翼部で安定した姿勢を保ちながら沈下され、釣り糸に掛け針が絡むことが防止される。請求項２により、左右に突出した翼部の下方に掛け針が設けられているので、掛け針が左右に搖れても釣り糸に絡むことが防止される。
　（エ）【図３】は以下のとおり。
　（オ）上記（ア）ないし（エ）からみて、引用例２には、次の技術事項（以下「引用例２技術事項」という。）が記載されていると認められる。
 「金属製のフレーム２の頭部側に鉛や真鍮等の重り３が固定されてそれらの外側に合成樹脂でボディ４が形成されてフレーム２と重り３が埋設されており、この重り３はルアー１全体の２０％以上の重さを有する、ルアー１。」
  
　ウ　原査定の拒絶の理由に引用され、本願の出願前に頒布された刊行物である、特開平１１−２０６２７７号公報（以下「引用例３」という。）には、図面とともに次の記載がある。
　（ア）「【０００１】
【発明の属する技術分野】本発明は、魚釣りに用いるルアー及びその製造方法に関する。」
　（イ）「【００１３】
【発明の実施の形態】［第１実施形態］以下、本発明の第１実施形態について、図面を参照しつつ説明する。
（構成の概要）本発明の第１実施形態を採用したルアーは、図１に示すように、プラスチック製のルアー本体１と、ルアー本体１の頭部上面に連結され釣糸を係止可能な釣糸係止部２と、ルアー本体１の腹部及び尾部付近にそれぞれ設けられたアイ（止め輪）３，４とを有している。そして、アイ３，４にはそれぞれスプリットリング５，６を介してフック７，８が連結されている。また、図２に示すように、ルアー本体１の頭部両側面の目の付近には左右から中央に向かって１対の孔１１，１２が形成されている。そして、ルアー本体１の頭部付近内部には、孔１１，１２から表面の一部が露出するように錘１０が挿入されている。さらに、この孔１１，１２にはそれぞれ挿入部材２０が挿入されている。」
　（ウ）「【００１６】続いて、図３（ｂ）に示すように、貼りあわせた金型３０ａ，３０ｂ内に、ルアー本体１を形成する流体状のプラスチック素材Ｌを注入する。プラスチック素材Ｌは、例えば、熱可塑性プラスチックであるＡＢＳ，ポリカーボネート等を用いることができる。さらに、
ルアー本体１を形成する素材Ｌとしては
ＡＢＳ樹脂
発泡させたもの
　エ　原査定の拒絶の理由に引用され、本願の出願前に頒布された刊行物である、実願昭５６−１６５７３４号（実開昭５８−７０７６８号）のマイクロフィルム（以下「引用例４」という。）には、図面とともに次の記載がある。
　（ア）「この考案は、ラトルボールによりガラガラ鳴る音の音響効果を高めた魚釣用擬似餌に関する。」（明細書１頁１１〜１２行）
　（イ）「以下、図示の実施例によって本考案をせつめいすると、擬似餌は第２図、第３図のように浮力を有する発泡ウレタン、
発泡ＡＢＳスチロール
で擬似餌本体１が形成され
（２）対比
　補正発明と引用発明とを対比する。
　ア　引用発明の「中空状のボディ２」、「球状重り５」、「重り移動空間３」、「空洞部２２」、「ルアー１」は、それらの構成及び機能からみて、それぞれ補正発明の「中空のボディ」、「重錘」、「重錘収容空間」、「重錘収容空間以外の空間」、「ルアー」に相当する。
　イ　引用発明の「中空状のボディ２と、前記ボディ２の内部に形成された空洞部２２と、さらに、前記ボディ２の内部に形成された重り移動空間３と、前記重り移動空間３内に収容され」、「比重は、ボディ２に比して十分大き」い「球状重り５と、」「を有する」ことと、補正発明の「多数の気泡を含んだ発泡体としてのボディと、このボディの密度よりも大きな密度を有する重錘とを備えており、このボディは、上記重錘を収容する重錘収容空間とこの重錘収容空間以外の空間とを、その内部に備えた中空のボディであ」ることとは、「ボディと、このボディの密度よりも大きな密度を有する重錘とを備えており、このボディは、上記重錘を収容する重錘収容空間とこの重錘収容空間以外の空間とを、その内部に備えた中空のボディであ」ることで共通する。
　ウ　引用発明の「前記ボディ２の材質は、ＡＢＳ樹脂などの硬質合成樹脂、ウレタンなどの軟質合成樹脂、発泡ウレタンなどの発泡合成樹脂、及び２以上の素材を組み合わせた複合材料などが挙げられ」ることは、補正発明の「上記ボディが樹脂組成物から形成されており、上記樹脂組成物の基材がＡＢＳ樹脂であ」ることに相当する。
　エ　引用発明において、「ボディー２の比重は、
１未満
６以上
　そうすると、引用発明の球状重り５の密度の、ボディー２の密度に対する比は、少なくとも６以上あることは、補正発明の「上記重錘の密度ＤＷの、上記ボディの密度ＤＢに対する比（ＤＷ／ＤＢ）が、５以上であ」ることに含まれている。
　オ　したがって、両者は、以下の点で一致する。 
（一致点） 
「ボディと、このボディの密度よりも大きな密度を有する重錘とを備えており、
　このボディは、上記重錘を収容する重錘収容空間とこの重錘収容空間以外の空間とを、その内部に備えた中空のボディであり、
　上記ボディが樹脂組成物から形成されており、
　上記樹脂組成物の基材がＡＢＳ樹脂であり、
　上記重錘の密度ＤＷの、上記ボディの密度ＤＢに対する比（ＤＷ／ＤＢ）が、６以上であるルアー。」
　カ　そして、以下の点で相違する。
（相違点１）基材がＡＢＳ樹脂である樹脂組成物から形成されたボディについて、補正発明が、多数の気泡を含んだ発泡体であるのに対し、引用発明は、発泡体として、発泡ウレタンなどの発泡合成樹脂が挙げられるものの、ＡＢＳ樹脂については発泡体であるかの特定がない点。
（相違点２）補正発明が、重錘の質量ＷＷの、ルアーの質量ＷＬに対する比（ＷＷ／ＷＬ）が、０．２０以上０．５５以下であるのに対し、引用発明は、当該質量の比（ＷＷ／ＷＬ）の特定がない点。
（３）判断
　ア　相違点１について
　（ア）ルアー本体の材質として、発泡させたＡＢＳ樹脂を用いることは、引用例３または４に記載されているように、本願出願前に周知の技術であるから、引用発明のボディ２に、上記周知の発泡させたＡＢＳ樹脂を用いることにより、上記相違点１に係る補正発明の構成とすることは、当業者が容易になし得たことである。
　イ　相違点２について
　（ア）引用例２には、上記（１）イ（オ）で示した引用例２技術事項が記載されており、該引用例２技術事項の重り３について、引用例２に、「【００１０】・・・ルア−１の前方の下側に重り３が設けられ、重り３位置のボディ４は膨出部４ｂとなっている。この重り３はルア−１全体の２０％以上の重さを有し、ルア−１の重心Ｇは前部（ルア−１の長手方向前方側）に位置しており、・・・。【００１１】ルア−１が水へ投入されると図８のように、ルア−１は重心Ｇが前方側にあるので、着水後頭部を下側に沈み、・・・」（上記（１）イ（ウ））と記載されているように、重り３はルアーの重心位置を調整している。
　また、引用例１には、球状重り５について、「技術分野［０００１］本発明は、球状重りが移動することによって重心が変化し得るルアーに関する。」（上記（１）ア（ア））、「［００２４］［球状重りについて］・・・ルアー１の浮力設定に応じて、重り移動空間３には、様々な大きさの球状重り５が収容される。・・・［００２６］・・・ルアー１を投げたときには、慣性によって球状重り５が重り移動空間３の後方部に移動する。従って、ルアー１の重心が後方寄りとなり、ルアー１の後方部を先頭にしてルアー１を遠くに飛ばすことができる。一方、ルアー１が着水したときには、球状重り５がボディ２の前方側に移動し、保持部材６の磁力によって、球状重り５がボディ２の前方部に保持される（図２参照）。このように球状重り５が仕切り壁７の表面に保持されることによって、ルアー１の前方部に重心が移る。・・・」（上記（１）ア（ウ））と記載されているように、球状重り５もルアーの重心位置を調整している。
　そうすると、引用発明の球状重り５と引用例２技術事項の重り３とは、同じ目的のために用いられているものであるから、引用発明の球状重り５に、引用例２技術事項の重り３の構成である「重り３はルアー１の全体の２０％以上の重さを有する」事項を適用することは、当業者が容易に気付くことである。
　そして、引用発明の球状重り５について、引用例１には、「ルアー１の浮力設定に応じて、重り移動空間３には、様々な大きさの球状重り５が収容される」（（１）ア（ウ）の［００２４］）と記載されていることからみて、当該浮力設定に応じて、球状重り３の重さをルアー全体からみて上下限値を適宜設定するものである。また、引用発明の球状重り５は、ボディ２の前後方法に延びる細長い筒状の空間である重り移動空間３の前後方向（延びる方向）に円滑に移動するものであって、しかも、「従って、本発明によれば、１つの形状の重り移動空間３（１つの形状のボディ２）に、大径の球状重り又は小径の球状重りを適宜選択して収容しても、」（上記（１）ア（ウ））と記載されているように、該細長い筒状空間内を移動する球状重り５は、ルアー１の全体の大きさと比較して、ある程度小さいものとなるから、その場合の球状重り５の質量は、ルアーの質量と比べて、極端に大きくなるものではない。
　そうすると、引用発明に引用例２技術事項を適用する際に、下限値を２０％とすることに加えて、上限値を５５％とすることは、当業者が適宜なし得たことである。
　（イ）さらに加えて検討すると、上記（ア）で説示したとおり、引用発明の球状重り５の重さは、浮力設定に応じて、ルアー全体からみて上下限値を適宜設定されるものであるところ、特開平７−１６３２７４号公報（段落【００１２】参照。ルアー本体が約２２ｇに対して重錘体４が３ｇ、重錘体５が４ｇ程度であることが記載されており、両重錘体４，５の合計質量７ｇ、ルアー全体の質量２９ｇとなるから、ルアーの重錘体の質量の、ルアー全体の質量に対する比は、約０．２４となる。）、実願平５−１７６６７号（実開平６−７９２６３号）のＣＤ−ＲＯＭ（実施例１が記載された段落【００１２】〜【００２５】参照。ルアー重量が１０．９ｇ、重りの全体重量が５ｇであることが記載されており、ルアーの重りの質量の、ルアー全体の質量に対する比は、約０．４６となる。）に記載されるように、ルアーの重錘の質量の、ルアーの質量に対する比を、０．２０以上０．５５以下の範囲内のものとすることは、本件出願前に周知でもあったから、引用発明の重錘体の質量を、補正発明の範囲とすることは、当業者が容易になし得たことである。
　（ウ）なお、請求人は、審判請求書において、
「本願請求項１に係る発明の主たる特徴は、以下の２点である。 
　（ｉ）重錘の密度ＤＷのボディの密度ＤＢに対する比（ＤＷ／ＤＢ）が、５以上であること 
　（ｉｉ）重錘の質量ＷＷのルアーの質量ＷＬに対する比（ＷＷ／ＷＬ）が、０．２０以上０．５５以下であること 
　上記特徴（ｉ）及び（ｉ）の両方を満たすルアーでは、本願明細書の段落［００１８］に記載の通り、「このルアーの質量は、重錘の位置に偏在する。このルアーでは、重錘の位置の変化により、重心位置が大きく変化する。このルアーでは、質量分布の設計自由度が高い。」との効果が奏される。 
　密度の比（ＤＷ／ＤＢ）が大きくても、重錘自体が小さくて比（ＷＷ／ＷＬ）が小さければ、「このルアーの質量は、重錘の位置に偏在する。このルアーでは、重錘の位置の変化により、重心位置が大きく変化する。このルアーでは、質量分布の設計自由度が高い。」との効果は得られない。 
　質量の比（ＷＷ／ＷＬ）が大きくても、密度の比（ＤＷ／ＤＢ）が小さければ、重錘の体積が大きくなることに起因して、「このルアーの質量は、重錘の位置に偏在する。このルアーでは、重錘の位置の変化により、重心位置が大きく変化する。このルアーでは、質量分布の設計自由度が高い。」との効果は得られない。上記特徴（ｉ）及び（ii）の両方を満たすことによって初めて、優れた効果が奏される。 
　補正の却下の決定通知において審査官は、引用文献１及び６並びに周知技術に基づいて、本発明の進歩性を否定されている。 
　引用文献１には、前述の通り、密度の比（ＤＷ／ＤＢ）が大きなルアーが開示されている。しかし、引用文献１には、質量の比（ＷＷ／ＷＬ）が０．２０以上０．５５以下であることは、開示されていない。引用文献１のルアーでは、質量分布の設計自由は、不十分である。 
　引用文献６には、前述の通り、質量の比（ＷＷ／ＷＬ）が大きなルアーが開示されている。しかし、引用文献６には、密度の比（ＤＷ／ＤＢ）が５以上であることは、開示されていない。引用文献６のルアーでは、質量分布の設計自由は、不十分である。 
　審査官は、引用文献１及び６に記載された発明を組み合わせれば本発明に到達すると、お考えかもしれない。かかる手法で本発明の進歩性が否定されるには、特許庁の審査基準によれば、主引用発明に副引用発明を適用することについての動機付けが必要である。その段落［０００７］に記載の通り、引用文献１に係る発明の課題は、重錘が移動するタイプのルアーにおいて、この重錘の移動時の横ぶれ及び縦ぶれを防止することにある。一方、その段落［０００３］に記載の通り、引用文献６に係る発明の課題は、重錘が移動しないタイプのルアーにおいて、釣り針に釣り糸が絡むことを抑制することにある。引用文献６に係る発明の課題は、引用文献１に係る発明の課題とは、異なる。引用文献１に記載された発明と、引用文献６に記載された発明とを組み合わせることに、動機付けはない。さらに、審査官が周知技術としてお挙げになった引用文献２−５にも、上記特徴（ｉ）及び（ｉｉ）は記載されていない。本発明が進歩性を有さないことについての論理付けは、成り立たない。」と主張している。
　しかしながら、引用例１及び２に記載されている主要な課題は相違しているものの、上記（ア）で説示したとおり、両引用例に記載されたルアーの重錘体は、共に重心の調整に用いられているのであって、しかも、重錘体の質量が、両引用例に記載の発明の主要な課題とは、特に関連があるものではないから、引用例１及び２に接した当業者であれば、引用例２に記載された重り３の重さを、引用発明に適用することに格別の困難性はない。
　また、引用発明は上記特徴（ｉ）を備え、球状重り５の密度がボディー２の密度よりも十分大きなものとなっているところ、該球状重り５は、「１つの形状の重り移動空間３（１つの形状のボディ２）に、大径の球状重り又は小径の球状重りを適宜選択して収容」（上記（１）ア（ウ））するものであるから、当然、目的とするルアーの重量バランスに合わせて、適宜の質量のものが用いられる。そこで、上記（ア）で説示したとおり、引用例２技術事項を適用することによって、請求人が主張する「このルアーの質量は、重錘の位置に偏在する。このルアーでは、重錘の位置の変化により、重心位置が大きく変化する。このルアーでは、質量分布の設計自由度が高い。」との効果も、当然奏するものとなることは明らかである。
　よって、請求人の主張は採用することができない。
　
　ウ　小括
　したがって、補正発明は、当業者が引用発明、引用例２技術事項及び周知技術に基いて容易に発明をすることができたものであるから、特許法第２９条第２項の規定により特許出願の際独立して特許を受けることができないものである。
　
３　補正の却下の決定のむすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、補正の却下の決定の結論のとおり決定する。
  
　
第３　本願発明
１　本願発明
　平成２９年１１月２１日付けの手続補正は却下されたので、本願の請求項１から６に係る発明は、平成２８年８月４日付けの手続補正書の特許請求の範囲の請求項１ないし６に記載された事項により特定されるものと認められるところ、そのうち請求項１に係る発明（以下「本願発明」という。）は、上記「第２　１」において、本件補正前の請求項１として示したとおりのものである。
　
２　原査定の拒絶の理由
　原査定の拒絶の理由の概要は、この出願の請求項１〜６に係る発明は、その出願前に日本国内又は外国において頒布された下記の引用文献１〜６に記載された発明に基いて、その出願前にその発明の属する技術の分野における通常の知識を有する者が容易に発明をすることができたものであるから、特許法第２９条第２項の規定により特許を受けることができない、というものである。
引用文献１：国際公開第２０１１／０９２８３２号
引用文献２；特開平１１−２０６２７７号公報
引用文献３：実願昭５６−１６５７３４号（実開昭５８−７０７６８号）
　　　　　　のマイクロフィルム
引用文献４：特開２００９−１１２７９号公報
引用文献５：特開平８−１９１６４６号公報
引用文献６：特開２００２−１７６８８３号公報
３　対比・判断
　本願発明と引用発明を対比すると、上記「第２　２（２）」に記載した相当関係を有しているから、
「ボディと、このボディの密度よりも大きな密度を有する重錘とを備えており、
　このボディは、上記重錘を収容する重錘収容空間とこの重錘収容空間以外の空間とを、その内部に備えた中空のボディであり、
　上記ボディが樹脂組成物から形成されており、
　上記樹脂組成物の基材がＡＢＳ樹脂である、ルアー。」で一致するものの、
  基材がＡＢＳ樹脂である樹脂組成物から形成されたボディについて、本願発明が、多数の気泡を含んだ発泡体であるのに対し、引用発明は、発泡体として、発泡ウレタンなどの発泡合成樹脂が挙げられるものの、ＡＢＳ樹脂については発泡体であるかの特定がない点、で相違している。
　しかしながら、該相違点は、上記第２の２（２）カに記載した相違点１と同じであるから、その判断も、同じく２（３）アに説示したとおりである。
　よって、本願発明は、引用発明及び周知技術に基いて、当業者が容易に発明をすることができたものである。
　
４　むすび
　以上のとおり、本願発明は、引用発明及び周知技術に基いて、当業者が容易に発明をすることができたものであるから、特許法第２９条第２項の規定により特許を受けることができない。
　したがって、その他の請求項に係る発明について検討するまでもなく、本願は拒絶すべきものである。
　よって、結論のとおり審決する。